(57)【特許請求の範囲】
【請求項１】
モーターとファンを内臓した送風ケースや送風ケース支持板・電池ケース等を配置した送風部、及び送風部を使用者のベルトに固定する固定部、大きくこの二つの要素部から成る携帯用送風機であるが、送風部において、送風ケース支持板の上半部に円形状にくり抜かれた送風孔にファンがピッタリ適合する位置に送風ケースが取付けられ、送風ケース支持板を挟んで反対側に、円形状の送風孔に囲まれた中心域には、風向に沿って低い円錐状に導風円錐体が形成され、送風孔を縁取るように導風枠を設け、これら全体を四方から取り囲むように略格子状の送風ケースカバー枠を設けるのだが、この時送風ケース支持板との間隔を一定に保つように、送風ケースカバー枠の上下両端部を、送風ケースカバー枠支持バーを介して、送風ケース支持板に連結固定されるのであり、更に、送風ケース支持板の下半部の導風枠側、送風ケースカバー枠のすぐ下の位置に、スイッチ窓から小さなスイッチが外に出るように形成された電池ケースを取付け、電池ケースのすぐ下に送風部連結体を取付け、この送風部連結体の底面からは、下方に突き出る形で連結＆解除操作部が形成されており、固定部は、固定部連結体及びその背中に左右に羽のように突き出る形で結合されているベルト係着部から成るが、固定部連結体の上面には送風部連結体の連結＆解除操作部を挿入できるように対応的に形成された連結溝が設けられ、ベルト係着部は、固定部連結体との結合面と反対方向にＵ字状に折り曲げて、ベルトに被せるように嵌め込む係合Ｕ字溝が形成されており、結合面における両端（固定部連結体の左右の位置）に面ファスナー雄のような止着部を設け、結合面の反対側面の両端には、ベルトに巻き付けながら止着部に止め付けるための・面ファスナー雌のような・巻着部を設けており、全体としてこのように形成された送風部と固定部とが、連結＆解除操作部を介して連結され、ズボンのベルトから外れないように確実に装着されて使用されることを特徴とする携帯用送風機。
【請求項２】
送風ケース支持板は必ずしも垂直板である必要はなく、送風孔から出る風を身体壁面に沿って斜め上方へ滑らかに滑昇させるために、送風孔を斜め上方へ向けるべく、送風ケースと送風ケースカバー枠が取付けてある送風ケース支持板の上半分を、斜め上方向に折り曲げ、それに随伴して送風ケースカバー枠も適応的にドーム状等に折り曲げて形成することを特徴とする請求項１における携帯用送風機。
【発明の詳細な説明】
【技術分野】
【０００１】  本発明は屋外等で、ベルトに装着し涼を取る携帯用送風機に関するものである。
【背景技術】
【０００２】  地球温暖化の影響で猛暑日が増した夏季、屋外等の、どこでも個人が簡単に涼を取ることが出来る携帯式の送風機や扇風機は、屋外等で作業する者の必需品になってきている。
従来、家庭用の扇風機を小型化して電池駆動にし、置いた状態で使用するもの（特許文献１参照）、手にもって使用するもの（特許文献２参照）があった。また首から下げて顔に送風する方式（特許文献３参照）や、腰のベルトに引っ掛ける方式（特許文献４参照）等が知られている。
【先行技術文献】
【０００３】
【特許文献１】特開昭６３−２９７７９４号公報
【特許文献２】特開２００１−５０１９０号公報
【特許文献３】特開２００６−１４４６２６号公報
【特許文献４】特願２０１０−１５６２０６号公報
【発明の概要】
【発明が解決しようとする課題】
【０００４】  従来の携帯用送風機や扇風機は、次のような欠点があった。置いて使用するものや、手に持って使う携帯用送風機、扇風機では、場所を移動する作業や、両手を使う作業には適さなかった、また電源が電池のため風量も少なく、身体から放して使用すると涼を取ることができなかった、また首から下げて顔に送風する方式では、首から下げても作業には邪魔になり、また身体が作業で揺れたりすると顔に風をあてることができなかった。腰のベルトに引っ掛ける方式のものは作業時にベルトから外れ易い欠点があった。
また使用者の使用環境に応じて身体に迅速に着脱できたり、装着位置を簡単に変えられるものはほとんど見当たらない。
本発明は、以上の問題点を解決するためになされたものである。
【課題を解決するための手段】
【０００５】  モーターとファンを内臓した送風ケースや送風ケース支持板・電池ケース等を配置した送風部、及び送風部を使用者のベルトに固定する固定部、大きくこの二つの要素部から成る携帯用送風機である。
送風部において、送風ケース支持板の上半部に円形状にくり抜かれた送風孔にファンがピッタリ適合する位置に送風ケースが取付けられ、送風ケース支持板を挟んで反対側に、円形状の送風孔に囲まれた中心域には、風向に沿って低い円錐状に導風円錐体が形成され、送風孔を縁取るように導風枠を設け、これら全体を四方から取り囲むように略格子状の送風ケースカバー枠を設けるのだが、この時送風ケース支持板との間隔を一定に保つように、送風ケースカバー枠の上下両端部を、送風ケースカバー枠支持バーを介して送風ケース支持板に連結固定される。
更に、送風ケース支持板の下半部の導風枠側・送風ケースカバー枠のすぐ下の位置に、スイッチ窓から小さなスイッチが外に出るように形成された電池ケースを取付け、電池ケースのすぐ下に送風部連結体を取付け、この送風部連結体の底面からは下方に突き出る形で連結＆解除操作部が形成されている。
固定部は、固定部連結体及びその背中に左右に羽のように突き出る形で結合されているベルト係着部から成るが、固定部連結体の上面には送風部連結体の連結＆解除操作部を挿入できるように対応的に形成された連結溝が設けられ、ベルト係着部は、固定部連結体との結合面と反対方向にＵ字状に折り曲げて、ベルトに被せるように嵌め込む係合Ｕ字溝が形成されており、結合面における両端（固定部連結体の左右の位置）に面ファスナー雄のような止着部を設け、結合面の反対側面の両端には、ベルトに巻き付けながら止着部に止め付けるための・面ファスナー雌のような巻着部を設ける。
全体としてこのように形成された送風部と固定部とが、連結＆解除操作部を介して連結され、ズボンのベルトから外れないように確実に装着されて使用される。
以上を特徴とする携帯用送風機である。
【発明の効果】
【０００６】  本発明の携帯用送風機は送風部と固定部を脱着式の連結体で連結して、使用者のベルトに固定するため、必要に応じてワンタッチで脱着でき、使用者の作業により、さまざまな姿勢になっても携帯用送風機が体から脱落することがない。また両手を使う作業中でも歩行中でも連続して涼を取ることができる。そしてベルトに携帯用送風機を装着しているため作業の邪魔になることもなく、身体に接近した状態で送風できるために、小型のモーターからの送風でも送風冷却効果が得られて、消費電力も少なくて済み、使用する電池の容量も少なくて省エネな携帯用送風機である。
【図面の簡単な説明】
【０００７】
【図１】本発明の実施例を示す使用状態の略図である。
【図２】本発明の一部である送風部の斜視図である。
【図３】本発明の一部である固定部の斜視図である。
【図４】本発明の別の実施例を示す使用状態の略図である。
【図５】図４に示された実施例の一部である送風部の斜視図である。
【図６】図４に示された実施例の一部である固定部の斜視図である。
【発明を実施するための形態】
【０００８】  モーター（１１）とファン（１２）を内臓した送風ケース（１０）や送風ケース支持板（１３）・電池ケース（２２）等を配置した送風部（２）、及び送風部（２）を使用者のベルト（Ａ）に固定する固定部（３）、大きくこの二つの要素部から成る携帯用送風機（１）である。
送風部（２）において、送風ケース支持板（１３）の上半部に円形状にくり抜かれた送風孔（１５）にファン（１２）がピッタリ適合する位置に送風ケース（１０）が取付けられ、送風ケース支持板（１３）を挟んで反対側に、円形状の送風孔（１５）に囲まれた中心域には、風向に沿って低い円錐状に導風円錐体（１８）が形成され、送風孔（１５）を縁取るように導風枠（１９）を設け、これら全体を四方から取り囲むように略格子状の送風ケースカバー枠（２１）を設けるのだが、この時送風ケース支持板（１３）との間隔を一定に保つように、送風ケースカバー枠（２１）の上下両端部を、送風ケースカバー枠支持バー（２０）を介して送風ケース支持板（１３）に連結固定されるのであり、更に、送風ケース支持板（１３）の下半部の導風枠（１９）側・送風ケースカバー枠（２１）のすぐ下の位置に、スイッチ窓から小さなスイッチ（２３）が外に出るように形成された電池ケース（２２）を取付け、電池ケース（２２）のすぐ下に送風部連結体（１６）を取付け、この送風部連結体（１６）の底面からは下方に突き出る形で連結＆解除操作部（１７）が形成されている。
固定部（３）は、固定部連結体（３４）及びその背中に左右に羽のように突き出る形で結合されているベルト係着部（３０）から成るが、固定部連結体（３４）の上面には送風部連結体（１６）の連結＆解除操作部（１７）を挿入できるように対応的に形成された連結溝（３５）が設けられ、ベルト係着部（３０）は、固定部連結体（３４）との結合面と反対方向にＵ字状に折り曲げて、ベルト（Ａ）に被せるように嵌め込む係合Ｕ字溝（３１）が形成されており、結合面における両端・即ち固定部連結体（３４）の左右の位置に面ファスナー雄のような止着部（３３）を設け、結合面の反対側面の両端には、ベルト（Ａ）に巻き付けながら止着部（３３）に止め付けるための・面ファスナー雌のような・巻着部（３２）を設ける。
なお、送風ケース支持板（１３）は必ずしも垂直板である必要はなく、送風孔（１５）から出る風を身体壁面に沿って斜め上方へ滑らかに滑昇させるために、送風孔（１５）を斜め上方へ向けるべく、送風ケース（１０）と送風ケースカバー枠（２１）が取付けてある送風ケース支持板（１３）の上半分を斜め上方向に折り曲げ、それに随伴して送風ケースカバー枠（２１）も適応的にドーム状等に折り曲げて形成することもできる。
全体としてこのように形成された送風部（２）と固定部（３）とが、連結＆解除操作部（１７）を介して連結され、ズボン（Ｂ）のベルト（Ａ）から外れないように確実に装着されて使用される。
本発明は、以上のような構成であり、以下これの実施形態を送風部（２）固定部（３）の順で説明する。
【実施形態１】
【０００９】  本発明の第１の実施形態である送風部（２）を図１及び図２により説明する。
送風ケース（１０）は、外面は四角形状で内面はモーターとファンを内臓する円筒状の空間を備え、左右の端面は空中に開放して円形の送風孔（１５）と、通風孔（１４）として、送風孔（１５）面外角隅の内側コーナースペースのそれぞれ４箇所に送風ケース（１０）を固定するための取付けネジ孔を送風孔（１５）面から通風孔（１４）面に向かって円筒軸芯と並行して、それぞれに４箇所設ける（図示せず）。そして送風ケース（１０）に内臓するモーター（１１）は回転子とファン（１２）を一体化して作られ、モーター（１１）の固定子側底部面の反対側面に回転子と一体化したファン（１２）を備え、固定子側底部面を送風孔（１５）面と面一の位置にしてモーター（１１）の回転軸を送風ケース（１０）内面の円筒中心に適合させて取付けると、ファン（１２）がちょうど通風孔（１４）の内側に収まる構造であり、通風孔（１４）から空気を吸入して送風孔（１５）から送風することができる送風ケース（１０）である。なお第１の実施形態ではファンは軸流ファンを使用して、前記の構造と同一なケースに内臓した、直流ブラシレスファンモーターを使用しているが、直流ブラシ付きモーターにファンを取付けて使用してもよい。
【００１０】  送風ケース支持板（１３）は、送風ケース（１０）、電池ケース（２２）、送風部連結体（１６）等を固定するための上下に略長方形の板状部材で上半部の幅は送風ケース（１０）が取付けできる幅を備え、上方の送風ケース（１０）を取付ける位置に、送風ケース（１０）に設けてある送風孔（１５）と同一サイズの円形な送風孔（１５）を開ける。それとともに送風ケース（１０）を固定するネジ孔を、送風ケース（１０）に設けた取付けネジ孔に合わせて４箇所設けて、送風ケース（１０）をネジで固定できるようにして、下半部は略台形状に下方に向かって徐々に幅を狭めて、下端は送風部連結体（１６）が固定できる幅にしている。
送風ケース支持板（１３）は主に合成樹脂板または金属板等で作成するのがよい。
【００１１】  導風円錐体（１８）は、先端部は丸みを帯び、内部は中空にしてあり、表面は滑らかにして送風抵抗が少ないよう作られたカバーで、送風孔（１５）の中心部でモーター（１１）の固定子側底部外面に導風円錐体（１８）の底面部を接着して取付けてあり、送風孔（１５）から風向に沿って円錐体の断面積を徐々に減少させて滑らかに送風させて、送風量を増やすためのものである。導風円錐体（１８）がない場合には固定子側底部外面角部に渦が発生するので送風量が減少することになる。第１の実施形態では導風円錐体（１８）の底面から先端部分までの高さはファン（１２）の直径の約１／２．５  で底面の直径はモーター（１１）の固定子側底部外面の直径と同一にしてある。なお導風円錐体（１８）は合成樹脂材、金属材等で作成するのがよい。
またモーター（１１）内部の電子基板等の冷却が必要な場合には直径２ｍｍ程度の孔を数箇所、導風円錐体（１８）のコーン面に設けるのがよい。
【００１２】    導風枠（１９）は、円筒状の板で送風ケース支持板（１３）に開けた送風孔（１５）の中心に合せて送風孔（１５）を縁取るように取付けるが、内径は送風ケース支持板（１３）に開けた送風孔（１５）と同一サイズの円形に作ってある。
導風枠（１９）は送風量を増やすためのもので、導風枠（１９）が取付けてない場合には高速回転するファン（１２）による旋回した風の一部が、送風孔（１５）からモーター軸の円周方向に遠心力の作用で流れ出て、ファン（１２）軸方向の送風量を減少させてしまうのである、この事は概ねファン（１２）の直径と送風ケース（１０）の深さとファン（１２）の形状や回転数が互いに関係していて、第２の実施形態の場合は導風枠（１９）を設けずに回転軸方向に必要な送風ができているのである。
導風枠（１９）を金属板で作る場合は円筒状の一方にプレス加工でつば部を設け、送風ケース（１０）に設けた取付けネジ孔とピッタリ適合する寸法でつば部に孔を開けて、送風ケース支持板（１３）を導風枠（１９）と送風ケース（１０）で前後から挟んでネジで共締めにするのが良く、合成樹脂材で作る場合も前記のように一個のパーツとして作成できるが、送風ケース支持板（１３）と一体にプレス加工や合成樹脂材で成型した方がネジ止メする作業が省略できる利点がある。
導風枠（１９）の枠の高さは第１の実施形態ではファン（１２）の直径の約１／５にしてあるが、これより高くても良いが送風ケースカバー枠（２１）の奥行き寸法が長くなってしまう。
【００１３】  送風ケースカバー枠（２１）は、略長方形の立方体で略格子形状等の枠体で作られて、送風ケース（１０）、導風枠（１９）、導風円錐体（１８）などの送風部分を四方からカバーして指や衣服などが回転するファン（１２）に接触、巻き込むことを防いでいる。また携帯用送風機（１）使用時に送風孔（１５）と身体（Ｄ）との送風空間、あるいは上着（Ｃ）の内側に携帯用送風機（１）を装着すれば、さらに通風孔（１４）と上着（Ｃ）との間の送風空間を保つ奥行きを備えている。そして送風ケースカバー枠（２１）の身体側の上下両端部にそれぞれ一箇所、送風ケースカバー枠支持バー（２０）の間隔寸法に合わせて、取付け孔を設けてありネジで連結固定する構造である。
送風ケースカバー枠（２１）を作成するには、形状が略格子形状やその他網目形状等の枠体であり通風抵抗をなるべく増やさない構造が必要で、例えば枠桟は強度が保てる範囲でなるべく細く、断面は長方形や矩形よりも、通風抵抗の少ない円形に作るとよい。それには細かい成型加工ができる合成樹脂材が適している。送風ケースカバー枠（２１）の本実施形態における諸寸法は上下の長さはファン（１２）の直径の約１．６倍、横幅はファン（１２）の直径の約１．２倍、奥行きはファン（１２）の直径の約１倍としている。
【００１４】  送風ケースカバー枠支持バー（２０）は、前記送風ケースカバー枠（２１）を取付けるためのスペーサーで、支持バーの先端にはネジ孔を設け根元は送風ケース支持板（１３）の導風枠（１９）側に導風枠（１９）を上下に挟んで左右の中央の位置にそれぞれ一箇所ずつ固定している。そして送風ケースカバー枠（２１）の上下両端部に設けた取付け孔を送風ケースカバー枠支持バー（２０）の先端にネジ止めして連結固定する構造であるが、なお送風ケースカバー枠支持バー（２０）は必要に応じて送風ケース（１０）取付け面側にも設け、送風ケースカバー枠（２１）を固定してもよいのである。
送風ケースカバー枠支持バー（２０）の先端部から根元までの長さは第１の実施形態ではファン（１２）の直径の約１／２．３としている。送風ケースカバー枠支持バー（２０）は一個のパーツとして作成できが、送風ケース支持板（１３）と一体に合成樹脂材で成型したほうが送風ケースカバー枠支持バー（２０）の根元を送風ケース支持板（１３）に個々に固定する作業が省略できる。なお送風ケースカバー枠支持バー（２０）を送風ケース（１０）固定面の送風ケース支持板（１３）側に設けて、送風ケースカバー枠（２１）を取りつけてもよいが、その場合の送風ケースカバー枠支持バー（２０）の長さはファン（１２）の直径の約１／１．８倍としている。
【００１５】  電池ケース（２２）は、コンパクトで携帯に適した単三形一次電池又は単三形二次電池を数個収納できる箱体で、電池ケース（２２）上部にスイッチ（２３）と一体な操作ツマミを露出させて、電池交換用の蓋を設け、送風ケース支持板（１３）の導風枠（１９）側の下方と送風部連結体（１６）の間のスペースに固定してある。また電池ケース（２２）に内臓した電池とスイッチ（２３）とモーター（１１）とを直列に配線接続し、スイッチ（２３）のＯＮ、ＯＦＦでモーター（１１）を運転、停止することができるのである。
スイッチ（２３）をリモコン式にしてＯＮ、ＯＦＦの他に送風量を調節できることや、外気温度を表示する機能を備え、電池ケース（２２）には二次電池充電用のジヤック（２４）を設けておくのもよい。またモーター（１１）の定格電圧と電池出力電圧とを整合させる昇圧基板や、過電流、過放電を防止する二次電池保護基板、間欠タイマー回路基板、回転数変更基板等を設けて使用者がより快適に使用できるようにしてもよいのである。
【００１６】  送風部連結体（１６）は、着脱式のオス型連結体で底面からは下方に突き出る形で連結＆解除操作部（１７）が設けられ、特に下方に突き出る形の底面から突き出る根元付近は弾性を備えた形状にして固定部連結体（３４）と連結及び解除操作がスムースにできるようにしている。連結するには連結＆解除操作部（１７）を固定部連結体（３４）の連結溝（３５）に挿入するとロックされ、解除するには連結＆解除操作部（１７）を両側から指で押し込むとロックが解除される構造である。
送風部連結体（１６）を取付ける位置は電池ケース（２２）のすぐ下のスペースで、送風ケース支持板（１３）の下端から連結＆解除操作部（１７）が下方に突き出る形にしてネジ止メまたは送風ケース支持板（１３）と一体に成型されている。
【００１７】  本発明の第１の実施形態である固定部（３）を図３により説明する。
固定部（３）は固定部連結体（３４）及びその背中に左右に羽のように突き出る形で結合されているベルト係着部（３０）からなり、固定部連結体（３４）の上面には送風部連結体（１６）の連結＆解除操作部（１７）を挿入できるように対応的に形成された連結溝（３５）が設けられ、ベルト係着部（３０）は、固定部連結体（３４）との結合面と反対方向にＵ字状に折り曲げて、ベルト（Ａ）に被せるように嵌め込む係合Ｕ字溝（３１）が形成されている。
止着部（３３）は前記結合面における両端、固定部連結体（３４）の左右の位置に矩形状のフック状面ファスナーをそれぞれ接着して止着部（３３）としている。
そして巻着部（３２）は柔軟性を持った帯状部材でベルトにＵ字状に下から巻きあげて止着部（３３）に止め付けるために裏側にループ状の面ファスナーを備え、前記結合面の反対側面の両端に、巻着部（３２）の一方の端を接着している。また巻着部（３２）の長さはベルト（Ａ）にベルト係着部（３０）を挟みこんだ状態で下側からベルト（Ａ）を巻着部（３２）で巻きあげて止着部（３３）に止め付けるための長さとしている。即ち使用者のベルト（Ａ）丈寸法が普通は約３０ミリ、作業用で約４０ミリ、安全帯で約５０ミリであり、使用者の用途に合わせて巻着部（３２）の長さは全部のベルト（Ａ）丈寸法に対応させるか、一部のベルト（Ａ）丈寸法に使用できるようにするかは検討して自由に作成するのがよいのである。
【００１８】  なお前記ベルト係着部（３０）の詳細な形状は断面が逆Ｕ字形状の挟み板で、板と板の間にベルトに挟みこむための隙間を設けて曲げて係合Ｕ字溝（３１）が形成されている。正面の形状は略Ｔ字状を成し、正面側中央部に固定部連結体（３４）を取付け可能な幅と長さを設け、連結溝（３５）を上方にして固定部連結体（３４）をネジ止メする構造である。上方左右に羽のように突き出る形で固定部連結体（３４）の両端に止着部（３３）が取付けできる幅を設け、止着部（３３）の反対側面即ち裏面側にも巻着部（３２）を取付けするための幅を正面側と同じく左右に設けてある。なお係合Ｕ字溝（３１）の深さは使用者のベルト（Ａ）の丈より短くして、係合Ｕ字溝（３１）に挟みこんだベルト（Ａ）を巻着部（３２）で巻あげて締め付けできる構造である。
ベルト係着部（３０）は一個のパーツとして金属材でも合成樹脂材でも作成可能であるが、固定部連結体（３４）と一体に成型してもよいのである。
【００１９】  全体としてこのように形成された送風部（２）と固定部（３）とが、連結＆解除操作部（１７）を介して連結され、ズボン（Ｂ）のベルト（Ａ）から外れないように確実に装着されて送風ケース（１０）から水平方向に風が送風され、身体（Ｄ）を送風冷却することができ、送風部（２）を取外す場合にも連結＆解除操作部（１７）を指で内側に挟み込むとワンタッチにロックが外れて取外すことができる携帯用送風機（１）である。
【実施形態２】
【００２０】  本発明の第２の実施形態である送風部（２）を図４及び図５により説明する。
送風ケース（１０）は、外面はとりあえず四角形状で、内面はモーターとファンを内臓する円筒状の空間を備え、左右の端面は空中に開放して円形の送風孔（１５）と、通風孔（１４）とし、通風孔（１４）から空気を吸入して送風孔（１５）から送風することができる送風ケース（１０）で、第１の実施形態と同一な構造のケースに内臓した、直流ブラシレスファンモーターあるいは直流ブラシ付きファンモーターを使用している。
【００２１】  送風ケース支持板（１３）は、送風ケース（１０）、送風部連結体（１６）等を取付ける略長方形の板状部材で幅は送風ケース（１０）が取付けできる幅を備え、上半部をくの字状に内角で１１０度から１３０度の範囲で上方向に折り曲げ、送風ケース（１０）が斜め上方向に送風できる状態にして、上半部の送風ケース（１０）を取付ける位置に、送風ケース（１０）に設けてある送風孔（１５）と同一サイズの円形な送風孔（１５）を開けるとともに、送風ケース（１０）を固定するネジ孔を、送風ケース（１０）に設けた取付けネジ孔に合わせて４箇所設けて、送風ケース（１０）をネジで固定して、下半部の下方には、送風部連結体（１６）をネジで固定している。
送風ケース支持板（１３）は金属板または合成樹脂板等で作成するのがよい。
【００２２】  送風ケースカバー枠（２１）は、略格子形状等の板で幅は送風ケース支持板（１３）と同一で、送風ケース（１０）の外面を通風空間を保ちながらグルリと取り囲み、送風孔（１５）をドーム状に覆い、通風孔（１４）は通風孔（１４）面と平行して覆うようにカバーして、指や衣服などが回転するファン（１２）に接触したり巻き込むことを防いでいる構造で、送風孔（１５）をドーム状に覆う部分と通風孔（１４）を覆う部分は一体に作られて、それぞれの端部には重なり部分を備えて、ネジ孔を設けて送風ケース支持板（１３）を両側から重なり部分で挟みネジで固定または接着する構造である。
送風ケースカバー枠（２１）を作成するには、形状が略格子形状やその他網目形状等のカバーであり通風抵抗をなるべく増やさない構造が必要で、例えば枠桟は強度が保てる範囲でなるべく細く、断面は長方形や矩形よりも、通風抵抗の少ない円形に作るとよい、それには細かい成型加工ができる合成樹脂材が適している。
【００２３】  送風部連結体（１６）は、図６に示すように、着脱式のオス型連結体で、底面からは下方に突き出る形で連結＆解除操作部（１７）が形成されており、取付け位置は送風ケース支持板（１３）の下方で送風ケース（１０）の取付け側と反対側に、送風ケース支持板（１３）の下端から連結＆解除操作部（１７）が下方に突き出る形にしてネジ止メしてある。素材は合成樹脂材が適している。あるいは送風ケース支持板（１３）と一体に成型しても良く、第２の実施形態では第１の実施形態と同一な構造の送風部連結体（１６）を使用している。
【００２４】  電池ケース（２２）は図４に示すように、その取付け場所が送風部（２）に内臓せずに、使用者のベルト（Ａ）に設けており、第１の実施形態よりも多数の電池を、かつ容量の大きな電池を収納可能な方式であり、電池ケース（２２）の着脱も簡単にでき、本発明の携帯の携帯用送風機（１）のみならず、携帯用の機器電源の電池ケース（２２）としても使用できるものである。
使用者のベルト（Ａ）に着脱式に電池ケース（２２）を取付けるために、前記送風部連結体（１６）を電池ケース（２２）裏面中央に連結＆解除操作部（１７）を下方に、向けて固定し、使用時には使用者のベルト（Ａ）に取付けた固定部（３）に設けた連結溝（３５）が、連結＆解除操作部（１７）を介して連結され、電池ケース（２２）を取外す場合にも連結＆解除操作部（１７）を指で内側に挟み込むと、ワンタッチに取外すことができる構造である。
電池ケース（２２）表面上部にスイッチ（２３）と一体な操作ツマミを露出させて、電池交換用の蓋を設け、モーター（１１）に接続したプラグ付きコード（２５）と接続するジャック（２４）を電池ケース（２２）側面に設けているが、スイッチ（２３）やジャック（２４）は他の場所でもよく、この他に内臓する電池の充電用のジャック（２４）を設けてもよいのである。
内臓する電池と、スイッチ、モーターとの配線や使用する電子基板等は、第１の実施形態と同一であるので説明は省略する。
【００２５】  本発明の第２の実施形態である固定部（３）は第１の実施形態である固定部（３）と同一で図６に示す通りであるので説明は省略する。
【００２６】  以上の説明が示すように第２の実施形態では送風部（２）は、送風ケース（１０）を取付けた送風ケース支持板（１３）が上半部をくの字状に、内角で１１０度から１３０度の範囲で上方向に折り曲げて送風ケース（１０）が斜め上方向に送風できる状態にしてあるので、送風孔（１５）から出る風が身体壁面に沿って斜め上方に流れやすく、より広い範囲を送風冷却できる構造になっているのである。
また電池ケース（２２）は、その取付け場所が送風部（２）に内臓せずに使用者のベルト（Ａ）に別に設けており、第１の実施形態よりも多数の電池を、かつ容量の大きな電池を収納可能な方式で、使用するモーター（１１）の消費電力と運転時間に対応して必要な容量の電源を備えることができるのである。
全体としてこのように形成された送風部（２）と固定部（３）とが、連結＆解除操作部（１７）を介して連結され、ズボン（Ｂ）のベルト（Ａ）から外れないように確実に装着されて使用され、送風部（２）を取外す場合にも連結＆解除操作部（１７）を指で内側に挟み込むとワンタッチにロックが外れて、取外すことができる第２の実施形態の携帯用送風機（１）である。
【符号の説明】
【００２７】１    携帯用送風機
２    送風部
３    固定部
１０  送風ケース
１１  モーター
１２  ファン
１３  送風ケース支持板
１４  通風孔
１５  送風孔
１６  送風部連結体
１７  連結＆解除操作部
１８  導風円錐体、
１９  導風枠
２０  送風ケースカバー枠支持バー
２１  送風ケースカバー枠
２２  電池ケース
２３  スイッチ
２４  ジャック
２５  プラグ付きコード
３０  ベルト係着部
３１  係合Ｕ字溝
３２  巻着部
３３  止着部
３４  固定部連結体
３５  連結溝
Ａ    ベルト
Ｂ    ズボン
Ｃ    上着
Ｄ    身体
Ｗ    風向
【図１】
0005626596.tif 000002
【図２】
0005626596.tif 000003
【図３】
0005626596.tif 000004
【図４】
0005626596.tif 000005
【図５】
0005626596.tif 000006
【図６】
0005626596.tif 000007